(57)【要約】      （修正有）【課題】濡れた傘を傘カバーに収納し、鞄の中にしまう場合、濡れた傘を収納した傘カバーから水滴が漏れるという課題を解決するとともに、傘カバーに吸収した水分を、手を濡らすことなく脱水できる傘カバーを提供する【解決手段】防水素材からなる筒状の傘カバー１と筒状の傘カバー１の内部に吸水素材２と筒状の傘カバー１の両口を折りたたむことで密封することもできる開閉可能な開閉口３、４と留め具５とを備える傘カバーを提供する。これにより、濡れた傘を傘カバー１に収納するにあたり、筒状の傘カバー１の開閉口３、４を折りたたむことで中が密封され、濡れた傘を収納した傘カバー１を鞄の中へ入れても水が染み出し、濡れてしまう課題を解決することができる。また濡れた傘を傘カバー１に収納することにより、吸水素材２に吸収した水分を、手を濡らすことなく絞る動作により、容易に脱水でき、何度でも濡れた傘の水分を吸水できる傘カバーを提供する。【選択図】図１
2016131863.tif 000002
【特許請求の範囲】
【請求項１】
防水性を有する素材からなる両方の口が開いた筒状のカバーと、
筒状のカバー内部に、カバー絞ることで脱水可能な吸水素材とを備えることを特徴とする傘カバー
【請求項２】
請求項１に記載の傘カバーにおいて
筒状の傘カバーの両方の口を留める留め具をさらに備えることを特徴とする傘カバー
【請求項３】
請求項１〜２に記載の傘カバーにおいて、上記、留め具で傘カバーの片方の口を閉じることで袋状にでき、また傘カバーの両方の口を閉じることで傘カバーの中を密封することができることを特徴とする傘カバー。
【請求項４】
防水性を有する素材からなる傘袋と傘袋の内部に、傘袋を絞ることで脱水可能な吸水素材と袋の口を密封することが可能な留め具とを備えることを特徴とする傘袋
【請求項５】
上記傘カバー又は傘袋を、撥水性を有する素材により形成されている請求項１又は請求項２又は請求項３に記載の傘カバー又は請求項４に記載の傘袋。
【請求項６】
上記傘カバー又は傘袋を中が見える防水性を有するビニールなどの透明な素材により形成されている請求項１又は請求項２又は請求項３に記載の傘カバー又は請求項４に記載の傘袋。
【発明の詳細な説明】
【技術分野】
【０００１】本発明は、傘カバーに関するものであり、傘カバーの素材と形状に工夫を加えることで濡れた傘を収納しても傘カバーからの水漏れを防止することができ、
また濡れた傘を収納することにより、傘カバーに吸収した水分を絞る動作により、手を濡らすことなく脱水できるようにしたものである。
【発明の開示】
【発明が解決しようとする課題】
【０００２】従来のような傘カバーでは、濡れた傘を収納する場合、傘カバーの吸水許容量を超えてしまうと水が漏れ出してしまい不便である。
本発明は、このような濡れた傘を傘カバーに収納する場合に水漏れをしてしまうという不都合を解決することを課題とする。
【課題を解決するための手段】
【０００３】上記課題を解決するために請求項１に記載の発明は、
防水性を有する素材からなる両方の口が開いた筒状のカバーと、
筒状のカバー内部に、カバー絞ることで脱水可能な吸水素材とを備えることを特徴とする傘カバーである。
これにより
傘カバーを、防水性を有する素材で形成することで傘カバー内部に備えた吸水素材の吸水許容量を超えた場合に、手を濡らすことなく容易に外へ水分を絞り出すことができ、絞ることで脱水可能な吸水素材を備えることにより、自然乾燥を待たずに何度でも吸水性のある傘カバーにすることができ、何度でも濡れた傘を傘カバーに収納できる。
またカバーを筒状にすることで、傘カバーを傘に装着したまま、たまる水滴を筒の口から外へ流し出すことができる。【０００４】請求項２に記載の発明は
請求項１に記載の傘カバーにおいて
筒状の傘カバーの両方の口を留める留め具をさらに備えることを特徴とする傘カバーである
これにより、筒状の傘カバーの口を留め具により留めることで傘カバーを傘袋にすることができる。【０００５】請求項３に記載の発明は
請求項１〜２に記載の傘カバーにおいて、上記、留め具で傘カバーの片方の口を閉じることで袋状にでき、また傘カバーの両方の口を閉じることで傘カバーの中を密封することができることを特徴とする傘カバーである。
これにより、傘カバーを密封することができ、鞄などにしまった場合に水漏れを
防ぐことができる【０００６】請求項４に記載の発明は
防水性を有する素材からなる傘袋と傘袋の内部に、傘袋を絞ることで脱水可能な吸水素材と袋の口を密封することが可能な留め具とを備えることを特徴とする傘袋である。
これにより傘袋を、防水性を有する素材で形成することで傘袋の内部に備えた吸水素材の吸水許容量を超えた場合に、手を濡らすことなく容易に外へ水分を絞り出すことができ、絞ることで脱水可能な吸水素材を備えることにより、自然乾燥を待たずに何度でも吸水性のある傘袋にすることができ、何度でも濡れた傘を傘袋に収納できる。【０００７】請求項５に記載の発明は
上記傘カバー又は傘袋を、撥水性を有する素材により形成されている請求項１又は請求項２又は請求項３に記載の傘カバー又は請求項４に記載の傘袋である。
これにより
傘カバー又は傘袋を撥水性を有する素材で形成することで傘カバー又は傘袋の内部に備えた吸水素材の吸水許容量を超えた場合に、手を濡らすことなく容易に外へ水分を絞り出すことができ、絞ることで脱水可能な吸水素材を備えることにより、自然乾燥を待たずに何度でも吸水性のある傘カバー又は傘袋にすることができ、何度でも濡れた傘を傘カバー又は傘袋に収納できる。【０００８】請求項６に記載の発明は
上記傘カバー又は傘袋を中が見える防水性を有するビニールなどの透明な素材により形成されている請求項１又は請求項２又は請求項３に記載の傘カバー又は請求項４に記載の傘袋である。傘カバー又は傘袋を透明な素材にすることで中に溜まった水分を確認すること可能と成る
【発明の効果】
【０００９】本発明によれば、
濡れた傘を傘カバーに収納した場合に傘カバーから水分が漏れ出すという不都合は起きず、傘カバーの内部に備えた吸水素材に吸収した水分を絞り脱水することで自然乾燥を待つことなく吸水性のある傘カバーにすることができる
【発明を実施するための最良の形態】
【００１０】図１は、傘カバーの内部に吸水素材を設けた傘カバーの断面図である。同図に示すように、傘カバーの内部に吸水素材を設けたことにより濡れた傘を傘カバーに収納した場合に、傘に含まれる水分を吸水し、傘カバーの外へ水滴を流れ出すのを防止することができる。【００１１】図２は、傘カバーを絞ることで含んだ水分を脱水している図である。同図に示すように、吸水素材に吸収された水分を絞る動作により、手を濡らすことなく傘カバーの口４から外へ搾り出すことができる。【００１２】図５は傘カバーの中に傘を収納し密封した図である。同図に示すように、
傘カバーは折りたたみ密封し留め具により留めることで水分を傘カバーの外へ流れ出すのを防止している。
【産業情の利用可能性】
【００１３】本発明に係る傘袋は、工業的に量産することが可能であるため、産業上の利用可能性を有する。
【図面の簡単な説明】
【００１４】
【図１】  傘カバーの切断図である。
【図２】  傘カバーを絞ることで含んだ水分を脱水している図である。
【図３】  傘カバーを装着したまま、水分を流し出す事を説明している図である。
【図４】  傘カバーを斜め上から見た図である。
【図５】  傘カバーの中に傘を収納し密封した図である。
【符号の説明】
【００１５】      １  防水性を有する素材の傘袋
２  吸水素材
３  開閉口
４  開閉口
５  留め具
６  水分
７  傘
８  手
【図１】
2016131863.tif 000003
【図２】
2016131863.tif 000004
【図３】
2016131863.tif 000005
【図４】
2016131863.tif 000006
【図５】
2016131863.tif 000007